(57)【要約】【課題】多機能化された記録再生装置の液晶表示パネルを見やすくする。【解決手段】記録媒体１が収納されるとともに該記録媒体１に対して情報信号の記録及び／又は再生を行う記録及び／又は再生機構が内蔵された装置本体１１と、装置本体１１の一主面側１１ａに設けられ、画像情報を取り込む撮像レンズ１３と、装置本体１１の他主面側１１ｆに設けられ、撮像レンズ１３に取り込まれた画像又は記録媒体１に記録された情報の内容を表示する表示パネル３０と、装置本体１１の上面部１１ｄに形成され撮像レンズ１３に取り込まれた画像を記録するよう操作するシャッタボタン１５とを有し、表示パネル３０は、垂直視野角が装置本体１１の下面部１１ｅ側が上面部１１ｄ側に比して広く形成されている。【選択図】図５
2006165705.tif 000002
【特許請求の範囲】
【請求項１】
記録媒体が収納されるとともに該記録媒体に対して情報信号の記録及び／又は再生を行う記録及び／又は再生機構が内蔵された装置本体と、
上記装置本体の一主面側に設けられ、画像情報を取り込む撮像レンズと、
上記装置本体の他主面側に設けられ、上記撮像レンズに取り込まれた画像又は上記記録媒体に記録された情報の内容を表示する表示パネルと、
上記装置本体の上面部に形成され上記撮像レンズに取り込まれた画像を記録するよう操作するシャッタボタンとを有し、
上記表示パネルは、垂直視野角が上記装置本体の下面部側が上面部側に比して広く形成されている記録及び／又は再生装置。
【請求項２】
上記装置本体は、上記表示パネルが設けられた一のハーフと、上記撮像レンズが設けられた他のハーフとが突き合わせられると共に、上記上面部側の側面に設けられたヒンジ部を回動支点として該一のハーフと他のハーフとが回動可能に連結され、
上記表示パネルは、上記装置本体の上面部側の一辺から延設され上記ヒンジ部を介して他のハーフ側に引き回されたフレキシブル基板を介して上記撮像レンズと接続されていることを特徴とする請求項１記載の記録及び／又は再生装置。
【発明の詳細な説明】
【技術分野】
【０００１】
本発明は、カメラモジュールが内蔵された携帯用の小型電子機器に関し、特にディスク状記録媒体に対してオーディオデータや画像データの記録、再生を行う記録及び／又は再生装置に関する。
【背景技術】
【０００２】
従来より、撮像レンズと、ＣＣＤやＣＭＯＳ等の撮像素子と、液晶表示パネル等を用いた画像表示部を備えた撮像装置や、カメラモジュールが付加された撮像機能付きの電子機器が広く普及している。この種の撮像装置や電子機器は、機器本体の前面側に設けられた撮像レンズより撮像画像を取り込み、撮像素子により生成された画像データが機器本体の背面側に設けられた液晶表示パネルに表示される。操作者は、液晶表示パネルに表示された画像を見ながらシャッタボタンを押すことにより、画像を確認しながら画像を記録することができる。
【０００３】
このような撮像装置や電子機器は、画像を撮影する際に操作者が機器本体の上から液晶表示パネルを見下ろしながら操作し、また、記録画像を再生する際にも機器本体の上側から液晶表示パネルを見下ろすことから、垂直視野角は上側が広く下側が狭く設計されている。
【０００４】
ところで、カメラモジュールが付加された撮像機能付きの電子機器において、楽曲情報の記録及び／又は再生装置に撮像機能を付加した記録及び／又は再生装置が提案されている。この種の記録及び／又は再生装置は、方形状の装置本体の一主面側に液晶表示パネルを設け、楽曲の検索や再生を行う際には、この液晶表示パネルに楽曲の曲名や歌手等の文字情報や歌手の顔写真、アルバムのジャケット写真等の画像情報等を表示させる使い方が予定されている。
【０００５】
この楽曲の検索や再生中においては、記録及び／又は再生装置の操作者は装置本体を液晶表示パネルが設けられた背面側が上になるように倒して、液晶表示パネルを装置本体の下側から見ることが多い。従って、液晶表示パネルの垂直視野角が上側に広く設計されていると、装置本体の下側から見た場合に見づらくなってしまう。
【０００６】
【特許文献１】特開２００４−２７４４７５号公報
【発明の開示】
【発明が解決しようとする課題】
【０００７】
そこで、本発明は液晶表示パネルを備え、楽曲情報に加えて画像情報の記録及び／又は再生を行う記録及び／又は再生装置において、液晶表示パネルを見やすく設計した記録及び／又は再生装置を提供することを目的とする。
【課題を解決するための手段】
【０００８】
上述した課題を解決するために、本発明にかかる記録及び／又は再生装置は、記録媒体が収納されるとともに該記録媒体に対して情報信号の記録及び／又は再生を行う記録及び／又は再生機構が内蔵された装置本体と、上記装置本体の一主面側に設けられ、画像情報を取り込む撮像レンズと、上記装置本体の他主面側に設けられ、上記撮像レンズに取り込まれた画像又は上記記録媒体に記録された情報の内容を表示する表示パネルと、上記装置本体の上面部に形成され上記撮像レンズに取り込まれた画像を記録するよう操作するシャッタボタンとを有し、上記表示パネルは、垂直視野角が上記装置本体の下面部側が上面部側に比して広く形成されているものである。
【発明の効果】
【０００９】
このような記録及び／又は再生装置によれば、オーディオデータに加えて画像データを記録、再生することができ、オーディオデータの関連情報やデータ検索画面、被写体画像等を表示する表示パネルを備えるものである。このように多機能化された記録及び／又は再生装置における表示パネルは、使用する機能に応じて装置本体の上面部側又は下面部側から見られるものであり、特にオーディオデータの関連情報の表示やデータの検索、記録した画像の再生時などは、装置本体を横にして下面部側から見られることから、視野角を下面部側に広くすることにより、操作者にとって表示パネルをより見やすくすることができる。
【発明を実施するための最良の形態】
【００１０】
以下、本発明が適用された記録及び／又は再生装置について、図面を参照しながら詳細に説明する。この記録及び／又は再生装置１０は、図１に示すように、光磁気ディスク２を略矩形のカートリッジ本体３内に回転可能に収納したディスクカートリッジ１を記録媒体に用いる装置であり、このディスクカートリッジ１と略同じ大きさにまで小型化されている。このディスクカートリッジ１は、一対のハーフを突き合わせ結合したカートリッジ本体３に、光磁気ディスク２を回転可能に収納している。記録媒体となる光磁気ディスク２の中心部には、ディスク記録再生装置側のディスク回転駆動機構を構成するディスクテーブルが係合するセンタ孔が設けられると共に、このセンタ孔を閉塞するようにしてディスクテーブルに内蔵されたマグネットに磁気吸引されるクランピングプレート２ａが取り付けられている。
【００１１】
この光磁気ディスク２を回転可能に収納するカートリッジ本体３には、前面側略中央の互いに対向する面に、光磁気ディスク２の信号記録領域の一部を径方向に亘って外部に臨ませる記録再生用の開口部４ａ，４ｂが形成されている。一方の開口部４ａは、光磁気ディスク２の光磁気記録層に対して磁界を印加する磁気ヘッドをカートリッジ本体３内部に進入させるためのものであり、他方の開口部４ｂは、光ピックアップを光磁気ディスク２に臨ませるためのものである。
【００１２】
カートリッジ本体３の前面３ａ側には、記録再生用の開口部４ａ，４ｂを開閉するための断面略コ字状のシャッタ部材５がスライド可能に取り付けられている。このシャッタ部材５は、記録及び／又は再生装置１０に装填されたときに限って、記録再生用の開口部４ａ，４ｂを開放し、非使用時には開口部４ａ，４ｂを閉塞する。カートリッジ本体３の下面中央部には、光磁気ディスク２のクランピングプレート２ａを外部に臨ませる略円形のディスク駆動用の開口部６が設けられている。ディスクカートリッジ１が記録及び／又は再生装置１０に装填されたとき、この開口部６からは、ディスクテーブルが進入し、光磁気ディスク２のセンタ孔には、ディスクテーブルが係合すると共に、クランピングプレート２ａがディスクテーブルに磁気吸引される。
【００１３】
以上のようなディスクカートリッジ１は、カートリッジ本体３の前面と直交する一側面３ｂを挿入端として、記録及び／又は再生装置１０に装填される。すると、シャッタ部材５は、ディスクカートリッジ１の挿入方向と平行な方向に、カートリッジ本体３の前面３ａに沿ってスライドし、記録再生用の開口部４ａ，４ｂを開放し、光磁気ディスク２の記録再生を可能な状態にする。
【００１４】
なお、カートリッジ本体３内に収納する記録媒体としては、光磁気ディスク２の他に、ピットパターンによってデータが予め記録された再生専用の光ディスク、記録層に有機色素材料を用いデータの追記を可能とする追記型の光ディスク、記録層に相変化材料を用いデータの書換を可能とする書換型の光ディスク、磁気ディスク等を用いるようにしてもよい。
【００１５】
以上のようなディスクカートリッジ１を記録媒体に用いる記録及び／又は再生装置１０について図１乃至図３を参照して説明すると、この記録及び／又は再生装置１０は、ディスクカートリッジ１が装着される装置本体１１と、この装置本体１１に対して回動可能に取り付けられる蓋体１２とを備え、蓋体１２が開いた状態にあるとき、ディスクカートリッジ１の挿脱を行うことができるようになっている。
【００１６】
装置本体１１には、その主面部１１ａに、撮像部１３が設けられている。この撮像部１３は、一方の側面部１１ｂ側に偏倚した位置に設けられており、外部に臨まされた撮像レンズ１３ａがカバーシャッタ１４により閉塞されている。このカバーシャッタ１４は、捻りコイルバネにより、撮像部１３を閉塞する方向と開く方向の２方向に付勢されており、使用時に限ってユーザの手により開かれるようになっている。カバーシャッタ１４は、撮像部１３の使用時以外のときには閉塞されるようにすることで、撮像レンズ１３ａ等に塵埃、指紋等の異物が付着しないようにしている。なお、この撮像部１３は、撮像レンズ１３ａの他に、ミラー部１３ｂとフラッシュ用のＬＥＤ（Light Emitting Diode）等で構成された発光部１３ｃが設けられている。
【００１７】
また装置本体１１の主面部１１ａには、カバーシャッタ１４が撮像部１３を閉塞する方向にスライドされたときに、カバーシャッタ１４の上側縁１４ａと突き当てられるカバー部材２６が設けられている。カバー部材２６は、カバーシャッタ１４の上側縁１４ａが突き当てられることにより撮像部１３の閉塞方向へのスライドを規制する規制辺２６ａが形成されている。規制辺２６ａは、カバーシャッタ１４の上側縁１４ａの形状に対応した形状を備え、カバーシャッタ１４が突き当てられることにより、上側縁１４ａと隙間なく当接される。またカバー部材２６とカバーシャッタ１４とは、当接されることにより略面一とされる。
【００１８】
また、装置本体１１には、撮像部１３が設けられた一方の側面部１１ｂと反対側の他方の側面部１１ｃ側であって、蓋体１２のヒンジ部２７が設けられた上面部１１ｄには、シャッタボタン１５と電源ボタン１６が設けられている。この装置本体１１では、シャッタボタン１５と撮像部１３の撮像レンズ１３ａの位置を反対側に設けるようにすることで、撮影時に、シャッタボタン１５を押す側の手が撮像レンズ１３ａに映り込まないようにしている。
【００１９】
また、装置本体１１の撮像部１３が設けられた側の側面部１１ｂには、上面部１１ｄ側に、イヤホン、ヘッドホン等の電気音響変換器の接続コードが接続される第１のジャック部１７が設けられている。また、この側面部１１ｂと反対側の側面部１１ｃには、操作部の一部である音響信号を聞くときの音量ボタン１８やパーソナルコンピュータ等の情報処理装置からオーディオデータ等のコンテンツデータをダウンロードする際のダウンロードボタン１９が設けられている。更に、この側面部１１ｃの下面部１１ｅ側には、電源となる二次電池等が収納されるバッテリ収納部を開閉するバッテリ蓋２０が設けられている。
【００２０】
装置本体１１の下面部１１ｅには、蓋体１２を閉塞状態に維持するためのロック機構が設けられると共に、このロック機構による蓋体１２のロックを解除するための蓋体１２のロック解除スライダ２１が設けられている。また、この装置本体１１の下面部１１ｅの他方の側面部１１ｃ側には、パーソナルコンピュータ等からオーディオデータ等のコンテンツデータをダウンロードするための接続コードが接続される第２のジャック部２２が設けられている。更に、この装置本体１１の下面部１１ｅは、充電時等に装置本体１１を立てかけるスタンドに装着する際の位置決め凹部２３が、略対称な位置に２カ所設けられている。
【００２１】
以上のような装置本体１１に取り付けられる蓋体１２は、装置本体１１の上面部１１ｄにヒンジ部２７が設けられ、このヒンジ部２７を回動支点として回動操作される。この蓋体１２の主面部１２ａには、図３に示すように、撮像部１３が設けられた一方の側面部１１ｂ側に、ＬＣＤ（LiquidCrystal Display）パネル３０等で構成された表示部２４と、装置本体１１を操作する操作部２５が設けられている。
【００２２】
蓋体１２は、図４に示すように、主面部１２ａに、ＬＣＤパネル３０を外方に臨ませるパネル用開口部３３と操作部２５を外方に臨ませる操作部用開口部３４が開口されている。パネル用開口部３３及び操作部用開口部３４は、裏面部１２ｂ側よりＬＣＤパネル３０及び操作部２５を構成する回転スイッチ２５ａ、レバースイッチ２５ｂが取り付けられるとともに、主面部１２ａ側からＬＣＤパネル３０及び操作部２５を支持する支持フレーム３５が取り付けられる。支持フレーム３５は、パネル用開口部３３及び操作部用開口部３４に対応した矩形開口３５ａ及び円形開口３５ｂが設けられるとともに、蓋体１２の裏面部１２ｂ側に挿通してＬＣＤパネル３０、回転スイッチ２５ａ及びレバースイッチ２５ｂを蓋体１２側に挟持する支持板３８と接続される突部３５ｃが形成されている。また支持フレーム３５には、接着シートを介して、さらに化粧板３６が接着された後、矩形開口３５ａを覆うようにＬＣＤパネル３０を保護するアクリル板３７が接着される。
【００２３】
表示部２４を構成するＬＣＤパネル３０は、略矩形板状に形成され、液晶を挟んで一対のガラス基板及び電極が保護枠に組み込まれるとともに、電極取り出し口にフレキシブル配線基板３１が接着され、このフレキシブル配線基板３１が保護枠の一側縁３０ａより延設されている。ＬＣＤパネル３０は、蓋体１２の裏面部１２ｂ側に図示しない緩衝材を介して当接され、背面側から支持板３８に支持されることにより蓋体１２と支持板３８との間に挟持される。フレキシブル配線基板３１は、先端が装置本体１１側に設けられた配線基板に接続されることにより、装置本体１１側に設けられた撮像レンズ１３ａとＬＣＤパネル３０とを電気的に接続し、撮像レンズ１３ａに取り込まれた画像をＬＣＤパネル３０に表示させることができる。また、フレキシブル配線基板３１は、装置本体１１に設けられディスクカートリッジ１が挿入、保持されるカートリッジホルダを迂回するとともに、蓋体１２の開閉動作を妨害することのないように装置本体１１側に引き回す必要があることから、装置本体１１の上面部１１ｄのヒンジ部２７を介して撮像レンズ１３ａ側に接続されている。
【００２４】
また、ＬＣＤパネル３０は、蓋体１２の裏面部１２ｂ側から支持されることによりパネル用開口部３３から外方に臨まされている。このとき、ＬＣＤパネル３０は、フレキシブル配線基板３１が引き出されている一側縁３０ａを装置本体１１の上面部１１ｄ側に向けて配設されている。したがって、ＬＣＤパネル３０は、一側縁３０ａより引き出されているフレキシブル配線基板３１の延設方向を装置本体１１の上面部１１ｄに形成されたヒンジ部２７側に向けて配設されることとなるため、フレキシブル配線基板３１をヒンジ部２７と反対方向又はヒンジ部２７に対して側方に引き出す場合に比して、フレキシブル配線基板３１をヒンジ部２７に容易に引き回して装置本体１１側に配設された撮像レンズ１３ａと接続させることができる。
【００２５】
また、ＬＣＤパネル３０は、図３に示すように、蓋体１２に支持されることにより、視野角が装置本体１１の上面部１１ｄ側よりも下面部１１ｅ側が広くなる。すなわち、ＬＣＤパネル３０は、下側の垂直視野角θ１が上側の垂直視野角θ２よりも広く設計されている。したがって、記録及び／又は再生装置１０は、表示部２４を装置本体１１の上側から見るよりも、装置本体１１の下側から見る方がより広範囲からＬＣＤパネル３０の表示を見ることができる。
【００２６】
ここで、ＬＣＤパネル３０には、ディスクカートリッジ１に保存されているオーディオデータの再生中にあっては、再生時間、再生中のトラックナンバ、タイトル名、歌手やアルバムジャケットの写真等の再生中のオーディオデータに関する関連データが表示される。記録及び／又は再生装置１０は、オーディオデータを再生する場合には、図５（Ａ）に示すように、装置本体１１を横に倒した状態で蓋体１２を上側に回動してディスクカートリッジ１を挿入し、ＬＣＤパネル３０に表示される関連データを見る際には、装置本体１１を横に倒して持って、あるいはテーブル等に置かれることが多い。すなわち、操作者は表示パネル３０を装置本体１１の下面部１１ｅ側から見ることが多い。したがって、記録及び／又は再生装置１０は、ＬＣＤパネル３０の垂直視野角が装置本体１１の下面部１１ｅ側に広く設計されていることから、広範囲にＬＣＤパネル３０を表示させることができる。
【００２７】
また、ＬＣＤパネル３０は、撮像部１３で被写体を撮像するときには撮像レンズ１３ａに取り込まれている映像が表示される。記録及び／又は再生装置１０は、撮像時には図５（Ｂ）に示すように、装置本体１１を立てて把持され、また、撮像レンズ１３ａに取り込まれた画像を表示するＬＣＤパネル３０は、操作者によって装置本体１１の上面部１１ｄ側から見られることが多い。このとき、ＬＣＤパネル３０は、装置本体１１の上面部１１ｄ側の垂直視野角が下面部１１ｅ側に比して狭く設計されているが、一般に撮像時においては、撮像レンズ１３ａと、被写体を表示するＬＣＤパネル３０と、ＬＣＤパネル３０を見る操作者の目とが直線上から外れるほど撮像しづらくなることから、ＬＣＤパネル３０を上方に大きく傾斜した位置から見ることは考えにくく、狭い垂直視野角であっても問題はない。
【００２８】
このように、本発明が適用された記録及び／又は再生装置１０は、オーディオデータに加えて画像データを記録、再生することができ、オーディオデータの関連情報やデータ検索画面、被写体画像等を表示するＬＣＤパネル３０を備えるものである。このように多機能化された記録及び／又は再生装置１０におけるＬＣＤパネルは、使用する機能に応じて装置本体１１の上面部１１ｄ側又は下面部１１ｅ側から見られるものであり、特にオーディオデータの関連情報の表示やデータの検索、記録した画像の再生時などは、装置本体１１を横にして下面部１１ｄ側から見られることから、視野角を下面部１１ｄ側に広くしている。したがって、記録及び／又は再生装置１０は、操作者にとってＬＣＤパネル３０をより見やすくすることができる。
【００２９】
この表示部２４の下側に設けられる操作部２５は、この装置の主機能を実行するためのメインとなる操作部であり、回転スイッチ２５ａの中央部に４方向に傾倒するレバースイッチ２５ｂが設けられている。この操作部２５では、例えば、ディスクカートリッジ１に保存された複数のオーディオデータや画像データの中から所望のオーディオデータや画像データを選択し、また、選択したオーディオデータの再生開始や停止、順方向又は逆方向トラックジャンプ操作等を行うことができる。
【００３０】
次いで、本発明が適用された記録及び／又は再生装置１０について、実使用時における動作を説明する。先ず、ディスクカートリッジ１を装置本体１１内に装着する。このとき、装置本体１１の上面部１１ｄに設けられたヒンジ部２７には、ＬＣＤパネル３０の一側縁３０ａより延設されたフレキシブル配線基板３１が引き回され、装置本体１１側に設けられた撮像レンズ１３ａと接続されていることから、ディスクカートリッジ１の進入路と重なることなく、スムーズな出し入れを行うことができる。また、フレキシブル配線基板３１がヒンジ部２７に引き回されることから、装置本体１１に対する蓋体１２の開閉動作も支障なく行うことができる。
【００３１】
また、フレキシブル配線基板３１は、ＬＣＤパネル３０のヒンジ部２７と対向する一側縁３０ａから引き出されていることから、最短距離で撮像レンズ１３ａと接続することができ、また省資源化、装置本体１１の省スペース化を図ることができる。
【００３２】
そして、記録及び／又は再生装置１０は、光磁気ディスク２に記録されたオーディオデータや画像データを再生する際には、オーディオデータの再生時間、再生中のトラックナンバ、タイトル名、アルバムジャケット等の関連情報や撮像画像をＬＣＤパネル３０に表示させることができる。このとき、記録及び／又は再生装置１０は、操作者によって装置本体１１がＬＣＤパネル３０を上に向けるように横に倒して持って、あるいはＬＣＤパネル３０を上に向けてテーブル等に置かれることにより、装置本体１１の下面部１１ｅ側からＬＣＤパネル３０が見られる。したがって、記録及び／又は再生装置１０は、ＬＣＤパネル３０の垂直視野角が装置本体１１の下面部１１ｅ側に広く設計されていることから、広範囲にＬＣＤパネル３０を表示させることができる。
【００３３】
また、記録及び／又は再生装置１０は、画像の撮影を行う際には、操作者によってカバーシャッタ１４が下面部１１ｅ側にスライドされて撮像部１３を露出される。また記録及び／又は再生装置１０は、カバーシャッタ１４のスライド動作に連動してデータ再生機能からカメラ機能に切り替わり、撮像レンズ１３ａに取り込まれた画像がＬＣＤパネル３０に表示されるようになる。そして記録及び／又は再生装置１０は、撮像時には装置本体１１を立てて把持され、また、撮像レンズ１３ａに取り込まれた画像を表示するＬＣＤパネル３０は、操作者によって装置本体１１の上面部１１ｄ側から見られる。このとき、ＬＣＤパネル３０は、装置本体１１の上面部１１ｄ側の垂直視野角が下面部１１ｅ側に比して狭く設計されているが、一般に撮像時においては、撮像レンズ１３ａと、被写体を表示するＬＣＤパネル３０と、ＬＣＤパネル３０を見る操作者の目とが直線上から外れるほど撮像しづらくなることから、ＬＣＤパネル３０を上方に大きく傾斜した位置から見ることは考えにくく、狭い垂直視野角であっても問題はない。
【図面の簡単な説明】
【００３４】
【図１】本発明が適用された記録及び／又は再生装置を示す斜視図である。
【図２】カバーシャッタにより撮像部が開放された記録及び／又は再生装置を示す斜視図である。
【図３】本発明が適用された記録及び／又は再生装置を背面側から示す斜視図である。
【図４】本発明が適用された記録及び／又は再生装置の蓋体及びＬＣＤパネルを示す分解斜視図である。
【図５】本発明が適用された記録及び／又は再生装置のＬＣＤパネルの視野角を説明するための図である。
【符号の説明】
【００３５】
１  ディスクカートリッジ、１０  記録及び／又は再生装置、１１  装置本体、１２  蓋体、１３  撮像部、１４  カバーシャッタ、３０  ＬＣＤパネル、３１  フレキシブル配線基板、３３  パネル用開口部、３４  操作部用開口部、３５  支持フレーム、３８  支持板
【図１】
2006165705.tif 000003
【図２】
2006165705.tif 000004
【図３】
2006165705.tif 000005
【図４】
2006165705.tif 000006
【図５】
2006165705.tif 000007